(57)【特許請求の範囲】
【請求項１】
モータにより回転される駆動軸に一対の揉み体を取り付け、駆動軸の回転により一対の揉み体にて被マッサージ部位を挟み揉みするものにおいて、前記一対の揉み体の相対向する面には、夫々対向する揉み体に向かう複数の中空の弾性突部を設けると共に、該中空の弾性突部内に、揉み体より硬度の小さい弾性体を充填させてなるマッサージ機。
【請求項２】
前記弾性突部を前記揉み体に一体形成してなる請求項１記載のマッサージ機。
【請求項３】
前記揉み体はゴム製としてなる請求項１又は請求項２に記載のマッサージ機。
【請求項４】
前記弾性体は、発泡ポリエチレン製としてなる請求項１乃至請求項３のいずれかに記載のマッサージ機。
【発明の詳細な説明】
【０００１】
【発明の属する技術分野】
本発明は、モータにより回転される駆動軸に、一対の揉み体を取り付けたマッサージ機に関する。
【０００２】
【従来の技術】
主として家庭内にて使用される簡易な構成のマッサージ機として、例えば、実開平４−１２６５３０号公報（Ａ６１Ｈ１５／００）に開示されている如く、モータにより回転される駆動軸に、相反する方向に傾斜する一対の揉み体を取り付け、この揉み体間に足等を挟んで挟み揉みマッサージするようにしたものが普及している。
【０００３】
この一対の揉み体は、相対向する面に適宜間隔で弾性突部を有し、この弾性突部間に足等を挟んで揉むようになっている。この揉み体は樹脂製リングに被着されているが、弾性突部と樹脂製リングの間は空洞になっており、マッサージ中に揉み体に過大な力が加わった場合に、弾性突部が変形し易くなり、製品の寿命や信頼性に問題があった。
【０００４】
【発明が解決しようとする課題】
本発明は、揉み体に過大な力が加わっても弾性突部が変形しにくく、その耐久性を向上し、信頼性を良好に保つことのできるマッサージ機を提供することを課題とする。
【０００５】
【課題を解決するための手段】
本発明は、モータにより回転される駆動軸に一対の揉み体を取り付け、駆動軸の回転により一対の揉み体にて被マッサージ部位を挟み揉みするもので、前記一対の揉み体の相対向する面には夫々対向する揉み体に向かう複数の中空の弾性突部を設けると共に、この中空の弾性突部内に、揉み体より硬度の小さい弾性体を充填させたものである。
【０００６】
かかる構成により、マッサージ中に揉み体に過大な力が加わっても弾性突部が変形しにくくなり、耐久性や信頼性を向上することができる。
【０００７】
ここで前記弾性突部は前記揉み体に一体形成され、また揉み体はゴム製とし、また弾性体は発泡ポリエチレン製とする。
【０００８】
【発明の実施の形態】
本発明のマッサージ機を一実施例として示した図１乃至図５に基づき説明する。１は平面形状がコ字型をした合成樹脂製の本体ケースで、上下２分割可能に構成されている。この本体ケース１の対峙する取付ベース２、３間に後述する揉みローラと回転ローラが装備される。本体ケース１の取付ベース２、３を連結する部分はハンドル４となる。５は本体ケースを床面に設置するための脚で、本体ケース１の下面四隅にある。
【０００９】
取付ベース３内には、モータ６が配設されている。モータ６は防振用ゴム７を介して取付金具８により取付ベース３に固定される。このモータ６の駆動力は、ウォーム１２、ウォームホイール１１の減速装置を介して駆動軸９に伝達される。１０は減速装置を収納するギアケースである。ウォームホイール１１は駆動軸９に固定され、ウォーム１２は、モータ６の軸に固定されている。１３はモータ６を制御するための制御部、１４は電源コードを示す。
【００１０】
前記駆動軸９は取付ベース２、３の対峙壁間に、軸受１５、１５でもって回転自在に支持されている。軸受１５，１５は、上側と下側の本体ケース１間に挟持される。
【００１１】
この駆動軸９の中央部には、相反する方向に傾斜した一対の揉みローラ１６、１６が取り付けられている。揉みローラ１６は、駆動軸９に対して回転方向には固定され、軸線Ｌ方向には摺動できる揉み基台１７と、揉み基台１７の外周に複数の鋼球１８を介して回転自在に装着された遊転部１９から構成される。
【００１２】
遊転部１９は、鋼球１８に対する摺動面を夫々有する外側環状押さえ板２０と、内側環状押さえ板２１と、これら両環状押さえ板２０、２１により挟持される揉み体２２とから構成される。内側環状押さえ板２１には、図３に示すように大小大きさの異なる二種類の開口４２、４３が交互に環状に配列されて設けられている。揉み体２２はゴムなどの弾性体からなり、内向きに大小大きさの異なる二種類の弾性突部４４、４５が交互に環状に配列されるよう突設されており、前記内側環状押さえ板２１に設けた大きな開口４２より大きな弾性突部４４が、また小さな開口４３より小さな弾性突部４５が夫々内向きに突出している。実施例では、大きな弾性突部４４と小さな弾性突部４５は夫々６個づつ設けられている。
【００１３】
外側環状押さえ板２０と内側環状押さえ板２１とは、複数のネジ４６、４７により結合され、揉み体２２は、この結合により両環状押さえ板２０、２１により確実に挟持される。図４や図５において、４８は、鋼球１８どおしが接触しないようにするガイドリングである。
【００１４】
而して大小の弾性突部４４、４５と外側環状押さえ板２０間は空洞ではなく、内部に例えば、弾性突部４４、４５を構成するゴムの弾性より硬度の小さい発砲ポリエチレンよりなる弾性体５０が充填されている。そして、弾性突部４４、４５に過大な力が加わった場合の弾性突部の変形を、内部が空洞のものに比べて起こりにくくしている。
【００１５】
そこで駆動軸９が回転すると、揉み基台１７は回転するが、遊転部１９は、脚を遊転部１９，１９間に挿入するなどして負荷が加わった状態になると、剛球１８の転動を伴って非回転状態を保ち、鋼球１８の摺動面が駆動軸９の軸線Ｌと平行でなく傾斜しているので、駆動軸９に対する傾倒角度を変えて、その対向面を接近離反する動作を繰り返す。従って、この間に挟まれた足等の被マッサージ部位を挟み揉むことができる。この時大小の前記弾性突部４４、４５は、被マッサージ部位と接触して押圧する。
【００１６】
ここで、各弾性突部４４、４５の大きさ（被マッサージ部位と接触して押圧する面積）は、小さい方の弾性突部４５を、手の親指と、人差し指・中指・薬指の三本（あるいは人差し指・中指又は中指・薬指の二本）の指で揉む場合の平均的な親指の接触面積と同等の大きさとし、大きな方の弾性突部４４を、平均的な人差し指・中指・薬指の三本（あるいは人差し指・中指又は中指・薬指の二本）を合わせた接触面積と同等の大きさとしている。従って、一対の揉みローラ１６、１６間に被マッサージ部位を挟む際に大きな弾性突部４４と小さな弾性突部４５が対向するように調整した上で被マッサージ部位を挟めば、被マッサージ部位を、手の親指と、人差し指・中指・薬指の三本（あるいは人差し指・中指又は中指・薬指の二本）で揉むのと同様の揉み心地を得ることができる。
【００１７】
また、揉みローラ１６の回転スピードが変化したり回転方向が逆転したりする等の複雑な動きをして弾性突部４４、４５に捻れの力が働いても、弾性突部は、内側環状押さえ板２１の開口４２、４３より突出して、その周縁が開口４２、４３の口縁により押さえられているので、剥がれたりせず、常に良好なマッサージを施すことができる。
【００１８】
駆動軸９の一対の揉みローラ１６、１６の外側には、回転ローラ２５、２５が取り付けられている。回転ローラ２５は、駆動軸９に固定され且つ一端にフランジ２６を有し他端が開放された円筒状の第１基台２７と、この第１基台２７の他端開放部を塞ぐ円盤状の第２基台２８と、前記フランジ２６と第２基台２８の間に、駆動軸９と平行に橋架される複数本のローラ軸２９と、このローラ軸２９に回転自在に取り付けられた２種類のローラ３０、３１とから構成される。その一つ３０は同じ形をした二つの刺激用突部３２が形成されたもので、他の一つは、両側に大きな刺激用突部３３がその間に扁平な刺激用突部３４が形成されたものである。ローラ軸９は例えば１０本あり、この軸９にローラ３０と３１が交互に取り付けられている。
【００１９】
駆動軸９の回転により回転ローラ２５が回転し、ローラ３０、３１の刺激用突部３２、３３、３４により例えば足等の被マッサージ部位をマッサージ（ローリングマッサージ）する。
【００２０】
一対の揉みローラ１６と回転ローラ２５の間には、揉みローラ１６を常時互いに接近する方向に付勢するコイルスプリング３７が圧縮状体で巻装されている。また一対の揉みローラ１６、１６間の駆動軸９には、スペーサ４０が固定され、前記コイルスプリング３７で付勢される一対の揉みローラ１６、１６の接近量を規制している。
【００２１】
これにより、揉みローラ１６、１６間に足等の被マッサージ部位を入れて揉む場合、揉みローラ１６に加わる荷重が大きくなっていくと、初めは弾性突部４４、４５が圧縮されるが、さらに荷重が大きくなると、コイルスプリング３７が圧縮して、一対の揉みローラ１６、１６を互いに離れるように退避させ、被マッサージ部位である足に過大な圧力が加わることを防止するものである。
【００２２】
ここで、前記弾性突部４４、４５が圧縮される際、その内部に弾性突部より硬度の小さい弾性体５０が充填されているので、弾性突部４４、４５に過大な力が加わっても変形が起こりにくくなる。
【００２３】
前記スペーサ４０には、２個の補助ローラ３８が回転自在に設けられているが、これは、揉みローラ１６で足を揉みながら足裏に刺激を与える場合などに使う。
【００２４】
上記揉みローラ１６、１６と回転ローラ２５は柔軟性に富む例えばナイロン製のカバーシート３５で覆われ、被マッサージ部位が直接両ローラ１６、２５に接触しないようにして安全性を向上している。また第１基台２７の外周には、マッサージする際のカバーシート３５の巻き込みを防止する多数のリブ３６が形成されている。
【００２５】
【発明の効果】
本発明によれば、揉み体の弾性突部内に揉み体より硬度の小さい弾性体を充填させたので、マッサージ中に揉み体に過大な力が加わっても弾性突部が変形しにくくなり、耐久性や信頼性を向上することができる。
【図面の簡単な説明】
【図１】本発明のマッサージ機の平面断面図である。
【図２】図１のＡ−Ａ線に基づく断面図である。
【図３】本発明の揉みローラの内側から見た側面図である。
【図４】図３のＢ−Ｏ−Ｂ線に基づく断面図である。
【図５】図３のＢ−Ｏ−Ｃ−Ｄ−Ｅ線に基づく断面図である。
【符号の説明】
６      モータ
９      駆動軸
１６      揉みローラ
２２      揉み体
４４      弾性突部
４５      弾性突部
５０      弾性体
【図１】
0003749167.tif 000002
【図２】
0003749167.tif 000003
【図３】
0003749167.tif 000004
【図４】
0003749167.tif 000005
【図５】
0003749167.tif 000006